(57)【要約】【解決すべき課題】テレビ放送受信機を遠隔操作するリモコン装置でテレビ放送番組を視聴できるようにする技術を提供することである。【課題を解決するための手段】ユーザが、スイッチ２６の向きを切り換え、リモコン２０で放送番組を視聴する場合、制御部２８は、ボタン２１で選局されたチャンネルの放送局から伝送されて来た放送信から特定のセグメントをチューナ２２で抽出させる。そして、受信した信号の部分受用フラグを参照し、抽出したセグメントで部分受信用の放送が実施されているか否かを判断する。この結果、部分受信用の放送が実施されている場合、制御部２８は、抽出したセグメントから音声情報及び映像情報をデコード部２３に復元させ、復元された映像情報を映像としてモニタ２５に表示させると共に、復元された音声情報を音声としてスピーカ２４に出力させる。【選択図】　図１
2004128775.tif 000002
【特許請求の範囲】
【請求項１】
複数のセグメントから成るデジタル放送信号を受信する受信機を遠隔操作するリモコン装置であって、
前記受信機の遠隔操作と、放送番組の視聴とを切り換える切換手段と、
前記切換手段の切り換えにより放送番組を視聴する場合、ユーザにより選局されたチャンネルの放送局から伝送されて来るデジタル放送信号から部分受信用のセグメントを抽出する抽出手段と、
前記抽出手段で抽出したセグメントから音声情報・映像情報又はデータ放送の情報を復元する復元手段と、
前記復元手段で復元した音声情報を音声として出力する出力手段と、
前記復元手段で復元した映像情報又はデータ放送の情報を映像として再生する再生手段と
を有することを特徴とするテレビ放送受信機能付きリモコン装置。
【請求項２】
前記リモコン装置は、音量を調整する音量調節手段を有し、
前記出力手段は、前記音量調節手段の調整結果に従って、音声の音量を調整するように構成されていることを特徴とする請求項１に記載のテレビ放送受信機能付きリモコン装置。
【請求項３】
複数のセグメントから成るデジタル放送信号を受信する受信機を遠隔操作するリモコン装置を、
ユーザにより受信機の遠隔操作、又は放送番組の視聴のいずれが選択されたかを検出する手段と、
前記検出で放送番組の視聴が選択されたことを検出すると、ユーザにより選局されたチャンネルの放送局から伝送されて来たデジタル放送信号から部分受信用のセグメントを抽出する手段と、
前記抽出された部分受信用のセグメントから音声情報・映像情報又はデータ放送の情報を復元させる手段と、
前記復元された音声情報を音声として出力させると共に、前記復元した映像情報又はデータ放送の情報を映像として再生させる手段として機能させるためのプログラム。
【請求項４】
ユーザにより行なわれた音量調整に従って、出力する音声の音量を調整する手段として機能させることを特徴とする請求項３に記載のプログラム。
【発明の詳細な説明】
【０００１】
【発明が属する技術分野】
本発明は、テレビ放送を受信する受信機を遠隔操作するリモコン装置に関し、特に、テレビ放送番組をリモコン装置でも鑑賞することができる技術に関する。
【０００２】
【従来の技術】
テレビ放送を受信する受信機には、受信機を遠隔操作する為のリモコン（リモート・コントローラ）装置（以下、リモコンという）が付属している。このリモコンを操作して受信機のチャンネル変更や音量の変更等を行なう。
【０００３】
また、ＳＴＢ（Ｓｅｔ−Ｔｏｐ　Ｂｏｘ）を搭載した受信機では、電子番組ガイド（ＥＰＧ：Ｅｌｅｃｔｒｏｎｉｃ　Ｐｒｏｇｒａｍ　Ｇｕｉｄｅ）を画面に表示させる場合、リモコンを操作して電子番組ガイドを画面に表示させ、電子番組ガイドに従って、視聴したい番組をリモコンで選局する。
【０００４】
このように、受信機では、リモコンを操作することにより、番組の選局、音量の変更、電子番組ガイドの表示等を受信機から離れた場所で簡単に実行させることができる。
【０００５】
ところで、ある番組を受信機で視聴中、受信機の設置場所（例えば、居間）から離れなければならない場合、この離れている間に放映された番組を見逃さない為には、ビデオ等に録画して後で観なければならなかった。
【０００６】
また、料理番組で作られた料理を作りたいが、受信機の設置されている場所と台所とが離れている場合、視聴者は料理番組の内容をメモ帳に記録し、後に記録したメモ帳に従って料理を作っていた。
【０００７】
【発明が解決しようとする課題】
しかしながら、居間から離れている時間が短い場合、離れている間に放映された番組をビデオに録画する方法では、視聴者に煩わしさを感じさせる。また、居間に戻った時に録画内容を視聴したのでは、現在放映中の番組が視聴できなくなり、現実的ではない。
【０００８】
また、メモ帳に記録した内容に頼ったのでは、料理手順のイメージが湧きづらく、視覚的な面で視聴者の作った料理と料理番組で作られた料理との違いがわかりづらい。
【０００９】
そこで、本発明は上記問題点に鑑みて発明されたものであって、リモコンでテレビ放送が受信できるようにし、リモコンでもテレビ放送の番組を視聴できるようにする技術を提供することである。
【００１０】
【課題を解決するための手段】
上記課題を解決する第１の発明は、複数のセグメントから成るデジタル放送信号を受信する受信機を遠隔操作するリモコン装置であって、
前記受信機の遠隔操作と、放送番組の視聴とを切り換える切換手段と、
前記切換手段の切り換えにより放送番組を視聴する場合、ユーザにより選局されたチャンネルの放送局から伝送されて来るデジタル放送信号から部分受信用のセグメントを抽出する抽出手段と、
前記抽出手段で抽出したセグメントから音声情報・映像情報又はデータ放送の情報を復元する復元手段と、
前記復元手段で復元した音声情報を音声として出力する出力手段と、
前記復元手段で復元した映像情報又はデータ放送の情報を映像として再生する再生手段とを有することを特徴とする。
【００１１】
上記課題を解決する第２の発明は、上記の第１の発明において、前記リモコン装置は、音量を調整する音量調節手段を有し、
前記出力手段は、前記音量調節手段の調整結果に従って、音声の音量を調整するように構成されていることを特徴とする。
【００１２】
上記課題を解決する第３の発明は、複数のセグメントから成るデジタル放送信号を受信する受信機を遠隔操作するリモコン装置を、
ユーザにより受信機の遠隔操作、又は放送番組の視聴のいずれが選択されたかを検出する手段と、
前記検出で放送番組の視聴が選択されたことを検出すると、ユーザにより選局されたチャンネルの放送局から伝送されて来たデジタル放送信号から部分受信用のセグメントを抽出する手段と、
前記抽出された部分受信用のセグメントから音声情報・映像情報又はデータ放送の情報を復元させる手段と、
前記復元された音声情報を音声として出力させると共に、前記復元した映像情報又はデータ放送の情報を映像として再生させる手段として機能させるためのプログラム。
【００１３】
上記課題を解決する第４の発明は、上記第３の発明において、ユーザにより行なわれた音量調整に従って、出力する音声の音量を調整する手段として機能させることを特徴とする。
【発明の実施の形態】
本実施の形態について説明する。
【００１４】
ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）方式を用いた日本の地上波デジタル放送では、周波数チャンネル内を１３個のセグメントに分割し、夫々のセグメントを最大３つの階層分け、各階層の変調方式を用途別に変えることが可能である。例えば、固定用受信用（例えば、屋内に設置される受信機）、移動体受信用（例えば、車載される受信機）や部分受信用（例えば、小型携帯受信機）に適した情報を伝送する場合、各受信機に適した情報を含むセグメントから成る３階層の信号をデジタル放送信号として伝送することが可能である。特に、上記３階層のうち部分受信用として定義された階層のセグメント（放送チャンネルの中央の１セグメントのみ）は、他の１２セグメントとは異なり、独立に受信機で受信可能となるよう規定されている。このようにセグメントを規定することで、低消費電力・小型携帯受信機の実現が可能である。尚、部分受信用として規定された階層は、地上デジタル音声（ラジオ）放送用受信機と共用規格となっている。
【００１５】
そこで、本発明は、受信機に付属しているリモコンに、放送局から伝送されて来るデジタル放送信号の中から、小型携帯受信機向けの放送である部分受信用のセグメントを抽出させ、この抽出されたセグメントから映像・音声・データ放送を受信・復元して再生させることを特徴とする。
【００１６】
具体的に説明する。
【００１７】
日本のデジタル放送において、放送局から伝送されて来るデジタル放送信号は、テレビ放送用の周波数帯域幅６ＭＨｚを１４等分にして考える。このうち１３個をセグメントと定義し、実際の放送に供され、各受信機に適した情報（音声情報、映像情報や文字情報等）を伝送する為に割り当てられる。残り１セグメントは、隣接チャンネルとの間のガードバントに割り当てられえる。１３セグメントの割り当て例を図１に示す。１３セグメントのうち、１セグメント分（セグメント７）は部分受信用に割り当てられ、３セグメント分（セグメント５，６、８）は移動体受信用に割り当てられ、９セグメント分（１，２，３，４，９，１０，１１，１２，１３）は固定受信用に割り当てられる。
【００１８】
また、各セグメントには、映像情報、音声情報等の他に、受信機でセグメントを制御する為の制御情報が含まれている。例えば、制御情報として、ＴＭＣＣ（Ｔｒａｎｓｍｉｓｓｉｏｎ　ａｎｄ　Ｍｕｌｔｉｐｌｅｘｉｎｇ　Ｃｏｎｆｉｇｕｒａｔｉｏｎ　Ｃｏｎｔｒｏｌ）が考えられる。
【００１９】
そして、制御情報には、部分受信フラグが含まれている。この部分受信フラグは、部分受信用の放送がチャンネル中央のセグメント（セグメント７）で実施されているか否かを示すフラグである。例えば、部分受信フラグが１の場合、部分受信用の放送がセグメント７で実施されていることを示し、部分受信フラグが０の場合、部分受信用の放送が実施されていないことを示す。
【００２０】
リモコンの構成について説明する。
【００２１】
尚、以下で説明するリモコンは、テレビ放送を受信する受信機に付属しているリモコンと同様に、受信機のチャンネルや音量の変更等を行なう機能を有し、チャンネル変更や音量変更の方法については、周知の技術であることから詳細な説明は省略する。
【００２２】
図２はリモコンの外観を示す図である。図３はリモコンのブロック図である。
【００２３】
リモコン２０は、ボタン２１、チューナ２２、デコード部２３、スピーカ２４、モニタ２５、スイッチ２６、送信部２７、及び制御部２８を有する。
【００２４】
ボタン２１は、モニタ２５又は受信機１０に表示させる番組のチャンネルの選局、音量調節などを行なう為のである。
【００２５】
チューナ２２は、制御部２８からの指示に従って、ボタン２１で選局されたチャンネルの放送局から伝送されて来たデジタル放送信号を受信し、この受信したデジタル放送信号から部分受信用に放送されている特定のセグメントを抽出するものである。
【００２６】
デコード部２３は、チューナ２２で抽出したセグメントから音声情報、及び映像情報を復元するものである。
【００２７】
スピーカ２４は、音声情報を音声として出力するものである。尚、スピーカの代わりに、イヤーフォンなどを用いる場合も考えられる。
【００２８】
モニタ２５（例えば、液晶モニタ）は、デコード部２３で復元された映像情報やデータ放送情報の内容を映像として表示するものである。
【００２９】
スイッチ２６（例えば、スライド・スイッチ、トグル・スイッチ）は、受信機１０を遠隔操作するか、リモコン２０で放送番組を視聴するかのいずれかに切り換える為のものである。例えば、図２に示す如く、スイッチ２６をＡ側に向けた場合、リモコン２０上での操作は、受信機１０の操作を意味し、スイッチ２６をＢ側に向けた場合、リモコン２０上での操作は、リモコン２０で放送番組を視聴する為の操作を意味する。
【００３０】
送信部２７は、制御部２８からの選局結果を受信機１０に送信するものである。
【００３１】
制御部２８は、スイッチ２６がいずれの側（Ａ側又はＢ側）に向いているか否かを判断する。スイッチ２６がＡ側（受信機１０を遠隔操作する側）に向いている場合、制御部２８は、ボタン２１での操作結果を送信部２７を介して受信機１０に送信する。一方、スイッチ２６がＢ側（リモコン２０で放送番組を視聴する側）に向いている場合、制御部２８は、チューナ２２にボタン２１で選局されたチャンネルの放送局から伝送されて来たデジタル放送信号を受信させ、更に受信したデジタル放送信号から部分受信用に放送された特定のセグメントを抽出させる。この抽出させたセグメントに含まれている制御情報の部分受信フラグを参照し、抽出されたセグメントが部分受信機用のセグメントであるか否かを判断する。この結果、抽出したセグメントが部分受信機用のセグメントである場合、抽出したセグメントから音声情報及び映像情報をデコード部２３で復元させる。この復元された映像情報を映像としてモニタ２５に表示させ、音声情報を音声としてスピーカ２４に出力させる。一方、受信した信号が部分受信用信号でない場合、以後の処理を中断する。
【００３２】
続いて、上記構成における動作について説明する。
【００３３】
ユーザは、受信機１０を遠隔操作、又はリモコン２０で放送番組を視聴したい場合、まず、スイッチ２６を切り換える（ステップ　１０１）。
【００３４】
そして、受信機１０を遠隔操作したい場合、スイッチ２６の向きをＡ側に切り換える。この結果、リモコン２０の制御部２８は、スイッチ２６の向きがＡ側に向けられたと判断する。
【００３５】
更に、ユーザがボタン２１を押下して所定のチャンネルを選局すると、制御部２８は、ボタン２１の選局結果を送信部２７を介して受信機１０に送信させる（ステップ　１０２）。
【００３６】
リモコン１０から送信されて来た選局結果を受信した受信機１０は、受信した選局結果に従って、チャンネルを変更する（ステップ　１０３）。
【００３７】
一方、リモコン２０で放送番組を視聴したい場合、スイッチ２６の向きをＢ側に切り換える。この結果、リモコン２０の制御部２８は、スイッチ２６の向きがＢ側に向けられたと判断する。そして、ユーザがボタン２１を押下して特定のチャンネルを選局すると、制御部２８は、ボタン２１で選局されたチャンネルの放送局から伝送されて来るデジタル放送信号を受信し、この受信したデジタル放送信号から部分受信用に放送された特定のセグメントを抽出する。例えば、制御部２８は、チューナ２２に受信したデジタル放送信号からセグメント７を抽出させる（ステップ　１０４）。
【００３８】
そして、制御部２８は、チューナ２２で抽出したセグメント７に含まれている制御情報を読み出し、この読み出した制御情報の部分受用フラグを参照し、抽出したセグメントで部分受信用の放送が実施されているか否かをを判断する。例えば、部分受信フラグが１の場合、抽出したセグメント７で部分受信用の放送が実施されていると判断し、部分受信フラグが０の場合、抽出したセグメント７で部分受信用の放送が実施されていないと判断する（ステップ　１０５）。
【００３９】
この結果、部分受信フラグが０であると判断された場合、制御部２８は、以後の処理を中断する。
【００４０】
一方、部分受信フラグが１であると判断された場合、制御部２８は、チューナ２２で抽出したセグメント７から音声情報・映像情報・データ放送の情報をデコード部２３に復元させる（ステップ　１０６）。
【００４１】
そして、制御部２８は、デコード部２３で復元された音声情報を音声としてスピーカ２４に出力させる（ステップ　１０７）と共に、デコード部２３で復元された映像情報・データ放送の情報を映像としてモニタ２５に表示させる（ステップ　１０８）。
【００４２】
尚、本実施の形態では、受信機１０又はリモコン２０で視聴する番組のチャンネルを変更する場合について説明したが、この場合に限るものではない。例えば、リモコン２０のスピーカ２４から出力される音声の音量を変更したい場合、スイッチ２６をＢ側に向けたままで、リモコン１０のボタン２１で音量を調整するれば、リモコン２０のスピーカ２４から出力される音量が調整される。
【００４３】
また、制御部２８は、プログラムに従って動作するＣＰＵでも良い。
【００４４】
【発明の効果】
本発明によれば、リモコンでは部分受信用信号しか受信しない為、固定用の受信機に搭載されるチューナに比べ、リモコンに搭載されるチューナを小型化できるという優れた効果を奏する。
【００４５】
また、本発明によれば、リモコンに搭載するチューナを小型化できる為、リモコンで消費される電力量を抑えることができるという優れた効果を奏する。
【００４６】
また、リモコンで放映中の番組が視聴できる為、僅かな時間、受信機の設置場所から離れる場合でも、手軽に番組を視聴し続けることができるという優れた効果を奏する。
【００４７】
また、本発明によれば、リモコンを携帯テレビとして用いることができるという優れた効果を奏する。この結果、リモコン装置自体を、受信機の設置場所に関係なく屋外などに手軽に持ち出せ、小型受信機として活用することも可能である。
【図面の簡単な説明】
【図１】セグメントを説明する為の図である。
【図２】リモコンの外観を示す図である。
【図３】リモコンのブロック図である。
【図４】本実施の動作を説明する為のフローチャートである。
【符号の説明】
１０　受信機
２０　リモコン
２１　ボタン
２２　チューナ
２３　デコード部
２４　スピーカ
２５　モニタ
２６　スイッチ
２７　送信部
２８　制御部
【図１】
2004128775.tif 000003
【図２】
2004128775.tif 000004
【図３】
2004128775.tif 000005
【図４】
2004128775.tif 000006